(57)【要約】【課題】  乳幼児を寝かせたり、座らせたりできる多機能な乳幼児用具を提供する。【解決手段】  クッション性が有り、座り姿勢の乳幼児が背中を凭せ掛ける背凭れ部３、クッション性が有り、座り姿勢の乳幼児が左右の肘を掛ける左右の肘掛け部４、５、クッション性が有り、下側に座り姿勢の乳幼児が足を前後に通す凹部６、７の形成された前側台部８とがドーナツ状に繋がった本体部２と、本体部２の下面に配設された座部９とを備える。背凭れ部３は、方形のマット体１９を左右に折り畳み、先端側から丸められた背凭れ部本体３Ａから成り、背凭れ部３の左右端部と左右の肘掛け部４、５の後ろ側端部との間が線ファスナー１７、１８により、一部を残して分離可能に分離可能に形成されるとともに、分離した背凭れ部３の背凭れ部本体３Ａを方形に展開可能とした。【選択図】      図１
2019198391.tif 000002
【特許請求の範囲】
【請求項１】
クッション性が有り、座り姿勢の乳幼児が背中を凭せ掛ける背凭れ部、クッション性が有り、座り姿勢の乳幼児が肘を掛ける左右の肘掛部、クッション性が有り、下側または上側に座り姿勢の乳幼児が足を前後に通す凹部の形成された前側台部とが内側開口を囲むように形成された本体部と、
本体部の下面に配設されて内側開口を塞ぐ座部とを備え、
背凭れ部は、乳幼児より広いマット体を小さく仕舞った状態にした背凭れ部本体を含み、
背凭れ部は、全部が完全に本体部に分離・連結自在に形成されるかまたは一部を残して本体部に分離・連結自在に形成されており、分離した背凭れ部の背凭れ部本体を乳幼児より広い状態に展開可能とされていること、
を特徴とする乳幼児用具。
【請求項２】
クッション性が有り、座り姿勢の乳幼児が背中を凭せ掛ける背凭れ部と、クッション性が有り、座り姿勢の乳幼児が肘を掛ける左右の肘掛け部とを含み、内側開口を囲むように形成された本体部と、
本体部の下面に配設されて内側開口を塞ぐ座部とを備え、
背凭れ部は、乳幼児より広いマット体を小さく仕舞った状態にした背凭れ部本体を含み、
背凭れ部は、全部が完全に本体部に分離・連結自在に形成されるかまたは一部を残して本体部に分離・連結自在に形成されており、分離した背凭れ部の背凭れ部本体を乳幼児より広い状態に展開可能とされていること、
を特徴とする乳幼児用具。
【請求項３】
背凭れ部は、背凭れ部本体を収納可能な収納袋を備え、収納袋に収納した状態で、本体部に連結・分離自在としたこと、
を特徴とする１または２記載の乳幼児用具。
【請求項４】
座部は、背凭れ部本体のマット体と一体に形成されていること、
を特徴とする請求項１乃至３の内のいずれか一項記載の乳幼児用具。
【請求項５】
座部は、背凭れ部本体の基端に装着されているか、または背凭れ部本体の基端に着脱自在に形成されていること、
を特徴とする請求項１乃至４の内のいずれか一項記載の乳幼児用具。
【請求項６】
座部は、端部が左右の肘掛け部の下面または前側台部の下面に装着されるか、または着脱自在に形成されていること、
を特徴とする請求項１、３乃至５の内のいずれか一項記載の乳幼児用具。
【請求項７】
座部は、端部が左右の肘掛け部の下面に装着されるか、または着脱自在に形成されていること、
を特徴とする請求項２記載の乳幼児用具。
【請求項８】
本体部の前部の一部が、親が内側開口に胴体を入れる胴入れ部として連結・分離自在に形成されているか、または本体部の前部に、親が内側開口に胴体を出し入れ可能とする開閉部が形成されており、
座部は、親が内側開口に胴体を入れる際に邪魔になる箇所が着脱自在に本体部に配設されていること、
を特徴とする請求項１、３、４の内のいずれか一項記載の乳幼児用具。
【請求項９】
クッション性が有り、座り姿勢の乳幼児が背中を凭せ掛ける背凭れ部、クッション性が有り、座り姿勢の乳幼児が肘を掛ける左右の肘掛け部、クッション性が有り、下側または上側に座り姿勢の乳幼児が足を前後に通す凹部の形成された前側台部とが内側開口を囲むように形成された本体部と、
本体部の下面に内側開口を塞ぐように配設された座部とを備え、
本体部の内、背凭れ部を含む一部が連結・分離自在に形成されており、
座部は、乳幼児より広いマット体を前後方向に折り曲げて形成されるとともに、本体部から背凭れ部を含む一部を分離したとき、乳幼児より広い状態に展開可能としたこと、
を特徴とする乳幼児用具。
【請求項１０】
本体部の前部の一部が、親が内側開口に胴体を入れる胴入れ部として連結・分離自在に形成されているか、または本体部の前部に、親が内側開口に胴体を出し入れ可能とする開閉部が形成されており、
座部は、親が内側開口に胴体を入れる際に邪魔になる箇所が着脱自在に本体部に配設されていること、
を特徴とする請求項９記載の乳幼児用具。
【請求項１１】
クッション性が有り、座り姿勢の乳幼児が背中を凭せ掛ける背凭れ部、クッション性が有り、座り姿勢の乳幼児が肘を掛ける左右の肘掛け部、クッション性が有り、下側または上側に座り姿勢の乳幼児が足を前後に通す凹部の形成された前側台部とが内側開口を囲むように形成された本体部と、
本体部の下面に内側開口を塞ぐように配設された座部とを備え、
本体部の内、前側の一部が分離部として連結・分離自在に形成されており、
座部は、乳幼児より広いマット体を前後方向に折り曲げて形成されるとともに、本体部から分離部を分離したとき、乳幼児より広い状態に展開可能としたこと、
を特徴とする乳幼児用具。
【請求項１２】
座部は、親が分離部を分離した本体部の内側開口に胴体を入れる際に邪魔になる箇所が着脱自在に本体部に配設されていること、
を特徴とする請求項１１記載の乳幼児用具。
【請求項１３】
クッション性が有り、座り姿勢の乳幼児が背中を凭せ掛ける背凭れ部と、クッション性が有り、座り姿勢の乳幼児が肘を掛ける左右の肘掛け部とを含み、内側開口を囲むように形成された本体部と、
本体部の下面に内側開口を塞ぐように配設された座部とを備え、
本体部の内、背凭れ部を含む一部が連結・分離自在に形成されており、
座部は、乳幼児より広いマット体を前後方向に折り曲げて形成されるとともに、本体部から背凭れ部を含む一部を分離したとき、乳幼児より広い状態に展開可能としたこと、
を特徴とする乳幼児用具。
【請求項１４】
本体部は、前部に親が内側開口に胴体を出し入れ可能な胴入れ口を有しており、
座部は、親が内側開口に胴体を入れる際に邪魔になる箇所が着脱自在に本体部に配設されていること、
を特徴とする請求項２または１３記載の乳幼児用具。
【発明の詳細な説明】
【技術分野】
【０００１】
本発明は乳幼児用具に係り、とくに乳幼児を寝かせたり、座らせたりする場合に好適な乳幼児用具に関する。
【背景技術】
【０００２】
従来、乳幼児用具として乳幼児を寝かせことのできる乳幼児用クッションや、乳幼児を座らせることのできる乳幼児用座椅子などがあった。
しかしながら、１つの用具で乳幼児を寝かせたり、座らせたりできる簡易で多機能なものがなく、複数の用具を揃えなければならない不便があった。
【先行技術文献】
【特許文献】
【０００３】
【特許文献１】特許第６０６１１６８号
【特許文献２】実用新案登録第３１８１０５９号
【特許文献３】特開２００６−２３０９１８号
【発明の概要】
【発明が解決しようとする課題】
【０００４】
本発明は上記した従来技術の問題に鑑みなされたもので、乳幼児を寝かせたり、座らせたりできる簡易で多機能な乳幼児用具を提供することを、その目的とする。
【課題を解決するための手段】
【０００５】
本発明の請求項１記載の乳幼児用具では、
クッション性が有り、座り姿勢の乳幼児が背中を凭せ掛ける背凭れ部、クッション性が有り、座り姿勢の乳幼児が肘を掛ける左右の肘掛部、クッション性が有り、下側または上側に座り姿勢の乳幼児が足を前後に通す凹部の形成された前側台部とが内側開口を囲むように形成された本体部と、
本体部の下面に配設されて内側開口を塞ぐ座部とを備え、
背凭れ部は、乳幼児より広いマット体を小さく仕舞った状態にした背凭れ部本体を含み、
背凭れ部は、全部が完全に本体部に分離・連結自在に形成されるかまたは一部を残して本体部に分離・連結自在に形成されており、分離した背凭れ部の背凭れ部本体を乳幼児より広い状態に展開可能とされていること、
を特徴としている。
本発明の請求項２記載の乳幼児用具では、
クッション性が有り、座り姿勢の乳幼児が背中を凭せ掛ける背凭れ部と、クッション性が有り、座り姿勢の乳幼児が肘を掛ける左右の肘掛け部とを含み、内側開口を囲むように形成された本体部と、
本体部の下面に配設されて本体部の内側開口を塞ぐ座部とを備え、
背凭れ部は、乳幼児より広いマット体を小さく仕舞った状態にした背凭れ部本体を含み、
背凭れ部は、全部が完全に本体部に分離・連結自在に形成されるかまたは一部を残して本体部に分離・連結自在に形成されており、分離した背凭れ部の背凭れ部本体を乳幼児より広い状態に展開可能とされていること、
を特徴としている。
本発明の請求項３記載の乳幼児用具では、
背凭れ部は、背凭れ部本体を収納可能な収納袋を備え、収納袋に収納した状態で、本体部に連結・分離自在としたこと、
を特徴としている。
本発明の請求項４記載の乳幼児用具では、
座部は、背凭れ部本体のマット体と一体に形成されていること、
を特徴としている。
本発明の請求項５記載の乳幼児用具では、
座部は、背凭れ部本体の基端に装着されているか、または背凭れ部本体の基端に着脱自在に形成されていること、
を特徴としている。
本発明の請求項６記載の乳幼児用具では、
座部は、端部が左右の肘掛け部の下面または前側台部の下面に装着されるか、または着脱自在に形成されていること、
を特徴としている。
本発明の請求項７記載の乳幼児用具では、
座部は、端部が左右の肘掛け部の下面に装着されるか、または着脱自在に形成されていること、
を特徴としている。
本発明の請求項８記載の乳幼児用具では、
本体部の前部の一部が、親が内側開口に胴体を入れる胴入れ部として連結・分離自在に形成されているか、または本体部の前部に、親が内側開口に胴体を出し入れ可能とする開閉部が形成されており、
座部は、親が内側開口に胴体を入れる際に邪魔になる箇所が着脱自在に本体部に配設されていること、
を特徴としている。
本発明の請求項９記載の乳幼児用具では、
クッション性が有り、座り姿勢の乳幼児が背中を凭せ掛ける背凭れ部、クッション性が有り、座り姿勢の乳幼児が肘を掛ける左右の肘掛け部、クッション性が有り、下側または上側に座り姿勢の乳幼児が足を前後に通す凹部の形成された前側台部とが内側開口を囲むように形成された本体部と、
本体部の下面に内側開口を塞ぐように配設された座部とを備え、
本体部の内、背凭れ部を含む一部が連結・分離自在に形成されており、
座部は、乳幼児より広いマット体を前後方向に折り曲げて形成されるとともに、本体部から背凭れ部を含む一部を分離したとき、乳幼児より広い状態に展開可能としたこと、
を特徴としている。
本発明の請求項１０記載の乳幼児用具では、
本体部の前部の一部が、親が内側開口に胴体を入れる胴入れ部として連結・分離自在に形成されているか、または本体部の前部に、親が内側開口に胴体を出し入れ可能とする開閉部が形成されており、
座部は、親が内側開口に胴体を入れる際に邪魔になる箇所が着脱自在に本体部に配設されていること、
を特徴としている。
本発明の請求項１１記載の乳幼児用具では、
クッション性が有り、座り姿勢の乳幼児が背中を凭せ掛ける背凭れ部、クッション性が有り、座り姿勢の乳幼児が肘を掛ける左右の肘掛け部、クッション性が有り、下側または上側に座り姿勢の乳幼児が足を前後に通す凹部の形成された前側台部とが内側開口を囲むように形成された本体部と、
本体部の下面に内側開口を塞ぐように配設された座部とを備え、
本体部の内、前側の一部が分離部として連結・分離自在に形成されており、
座部は、乳幼児より広いマット体を前後方向に折り曲げて形成されるとともに、本体部から分離部を分離したとき、乳幼児より広い状態に展開可能としたこと、
を特徴としている。
本発明の請求項１２記載の乳幼児用具では、
座部は、親が分離部を分離した本体部の内側開口に胴体を入れる際に邪魔になる箇所が着脱自在に本体部に配設されていること、
を特徴としている。
本発明の請求項１３記載の乳幼児用具では、
クッション性が有り、座り姿勢の乳幼児が背中を凭せ掛ける背凭れ部と、クッション性が有り、座り姿勢の乳幼児が肘を掛ける左右の肘掛け部とを含み、内側開口を囲むように形成された本体部と、
本体部の下面に配設されて本体部の内側開口を塞ぐ座部とを備え、
本体部の内、背凭れ部を含む一部が連結・分離自在に形成されており、
座部は、乳幼児より広いマット体を前後方向に折り曲げて形成されるとともに、本体部から背凭れ部を含む一部を分離したとき、乳幼児より広い状態に展開可能としたこと、
を特徴としている。
本発明の請求項１４記載の乳幼児用具では、
本体部は、前部に親が内側開口に胴体を出し入れ可能な胴入れ口を有しており、
座部は、親が内側開口に胴体を入れる際に邪魔になる箇所が着脱自在に本体部に配設されていること、
を特徴としている。
【発明の効果】
【０００６】
本発明の乳幼児用具によれば、簡易な構成により、本体部に乳幼児を上体を起こした状態で座らせることも、背凭れ部または座部を広げたマット体に乳幼児を寝かせることもできる。
【図面の簡単な説明】
【０００７】
【図１】本発明の第１実施例に係る乳幼児用具の外観斜視図である（実施例１）。
【図２】図１の平面図である。
【図３】図１の正面図である。
【図４】図１の背面図である。
【図５】図１の右側面図である。
【図６】図１の底面図である。
【図７】図２のＶＩＩ−ＶＩＩ’線に沿った断面図である。
【図８】乳幼児用具の使用方法の説明図である。
【図９】乳幼児用具の使用方法の説明図である。
【図１０】乳幼児用具の使用方法の説明図である。
【図１１】乳幼児用具の使用方法の説明図である。
【図１２】第１実施例の変形例を示す底面図である。
【図１３】第１実施例の他の変形例を示す展開図である。
【図１４】第１実施例の更に他の変形例を示す展開図である。
【図１５】図１４の使用方法の説明図である。
【図１６】図１４中の収納袋の取り付け方法の説明図である。
【図１７】本発明の第２実施例に係る乳幼児用具の外観斜視図である（実施例２）。
【図１８】図１７の平面図である。
【図１９】図１７の底面図である。
【図２０】図１８のＸＸ−ＸＸ’線に沿った断面図である。
【図２１】図１７の乳幼児用具から胴入れ部を分離した状態を示す底面図である。
【図２２】図１７の使用方法の説明図である。
【図２３】第２実施例の変形例に係る乳幼児用具の平面図である。
【図２４】図２３の乳幼児用具を底面側から見た使用方法の説明図である。
【図２５】第２実施例の他の変形例に係る乳幼児用具の平面図である。
【図２６】図２５の乳幼児用具を底面側から見た使用方法の説明図である。
【図２７】本発明の第３実施例に係る乳幼児用具の外観斜視図である（実施例３）。
【図２８】図２７の平面図である。
【図２９】図２７の正面図である。
【図３０】図２７の背面図である。
【図３１】図２７の右側面図である。
【図３２】図２７の底面図である。
【図３３】図２８のXXXIII−XXXIII’線に沿った断面図である。
【図３４】乳幼児用具の使用方法の説明図である。
【図３５】乳幼児用具の使用方法の説明図である。
【図３６】乳幼児用具の使用方法の説明図である。
【図３７】図２７の乳幼児用具から座部を分離した状態を示す展開図である。
【図３８】第３実施例の変形例を示す底面図である。
【図３９】本発明の第４実施例に係る乳幼児用具の外観斜視図である（実施例４）。
【図４０】図３９の底面図である。
【図４１】図３９の乳幼児用具から胴入れ部を取り外した状態を示す底面図である。
【図４２】図３９の使用方法の説明図である。
【図４３】本発明の第５実施例に係る乳幼児用具の平面図である（実施例５）。
【図４４】図４３の乳幼児用具から胴入れ部と座部を外した展開図である。
【図４５】図４３の乳幼児用具の使用方法の説明図である。
【図４６】図１の変形例に係る乳幼児用具の外観斜視図である。
【図４７】図４６の平面図である。
【図４８】図４６の底面図である。
【図４９】図２３の変形例を示す平面図である。
【発明を実施するための最良の形態】
【０００８】
以下、本発明の最良の形態を実施例に基づき説明する。
【実施例１】
【０００９】
図１乃至図７を参照して本発明の第１実施例を説明する。図１は本発明に係る乳幼児用具の外観斜視図、図２乃至図６は各々、乳幼児用具の平面図、正面図、背面図、右側面図、底面図、図７は図２のＶＩＩ−ＶＩＩ’線に沿った断面図である。
これらの図において、１は乳幼児用具であり、全体がクッション性を有するとともに、１つの用具により乳幼児が上体を起こした姿勢で座ったり、寝たりすることができる。乳幼児用具１の内、２は本体部であり、クッション性が有り、座り姿勢の乳幼児が背中を凭せ掛ける背凭れ部３、クッション性が有り、座り姿勢の乳幼児が左右の肘を掛ける左右の肘掛け部４、５、クッション性が有り、下側に座り姿勢の乳幼児が左右の足を前後に通す凹部６、７が左右に並べて形成された前側台部８とが内側開口１０を囲むようにドーナツ状に繋げられて成る。９はクッション性が有り、本体部２の内側開口１０を塞ぐようにして本体部２の下面に配設された方形でマット状の座部である。１１、１２は前側台部８の上面に取着された布製でリング状のおもちゃ取り付け部である。
【００１０】
左右の肘掛け部４、５と前側台部８は一体的に形成されており、図７に示す如くクッション材１３を布製の内カバー１４の中に収納した芯体１５を布製の外カバー１６で包囲して成る。背凭れ部３の左端部と左の肘掛け部４の後ろ側端部の間は、周方向に沿って設けられた連結部材の一例しての線ファスナー１７により、周方向に一部を残して分離したり、連結したりすることが可能になっている。線ファスナー１７は、背凭れ部３の左端部の周方向に沿って設けられた第１のファスナー部材１７Ａ、左側の肘掛け部４の後ろ側端部の周方向に沿って設けられた第２のファスナー部材１７Ｂ、第１、第２のファスナー部材１７Ａ、１７Ｂに摺動自在に嵌合されて線ファスナー１７の開閉を行うスライダ１７Ｃから成る。
【００１１】
同様に背凭れ部３の右端部と右の肘掛け部５の後ろ側端部の間は、周方向に沿って設けられた連結部材の一例しての線ファスナー１８により、周方向に一部を残して分離したり、連結したりすることが可能になっている。線ファスナー１８は、背凭れ部３の右端部の周方向に沿って設けられた第１のファスナー部材１８Ａ、右側の肘掛け部５の後ろ側端部の周方向に沿って設けられた第２のファスナー部材１８Ｂ、第１、第２のファスナー部材１８Ａ、１８Ｂに摺動自在に嵌合されて線ファスナー１８の開閉を行うスライダ１８Ｃから成る。
【００１２】
背凭れ部３は、ここでは図１１に示す如く、クッション性が有り、乳幼児より広い方形のマット体１９（例えば、奥行きが月齢６ケ月乳幼児の身長７０ｃｍの１．５乃至３．５倍程度、横幅が月齢６ヶ月の乳幼児の肩幅約２０cmの１．５倍乃至４倍程度）を、折り曲げ、畳み、丸めなどにより小さく仕舞った状態とした背凭れ部本体３Ａから成り、元の方形のマット体１９の状態に容易に展開可能としたものである。例えば、左右方向の中央から左半分の部分と右半分の部分で別々に２つ折りし（マット体１９の左右方向を４等分した左端から１／４までの部分を１／４から２／４までの部分に折り重ね、右端から１／４までの部分を１／４から２／４までの部分に折り重ね）、マット体１９の先端側から基端側に丸めて略円筒状にすることで、小さく仕舞った状態とできる。この実施例では座部９は背凭れ部本体３Ａのマット体１９と一体で形成されており、座部９の後端が背凭れ部３の基端の中央部分に接続されている。
【００１３】
座部９と背凭れ部３の接続箇所の左端９ａが左側の肘掛け部４の後ろ側端部の一部分に縫い合わされて装着されており、線ファスナー１７は座部９と背凭れ部３の接続箇所の左端９ａの下面側から本体部２の下面、背面、上面を通って接続箇所の左端９ａの上面側まで周方向に略楕円状に配設されている。同様に、座部９と背凭れ部３の接続箇所の右端９ｂが右側の肘掛け部５の後ろ側端部の一部分に縫い合わされて装着されており、線ファスナー１８は座部９と背凭れ部３の接続箇所の右端９ｂの下面側から本体部２の下面、背面、上面を通って接続箇所の右端９ｂの上面側まで周方向に略楕円状に配設されている。左右の肘掛け部４、５の後ろ側端部には第２のファスナー部材１７Ｂ、１８Ｂが略楕円状に配設されており、第１のファスナー部材１７Ａ、１８Ａは背凭れ部３を展開した状態で見た場合、図１０、図１１に示す如く、マット体１９の下面の内、座部９との接続箇所の左端９ａと右端９ｂから後方へ左右対称に弓状に配設されている。
【００１４】
図６に示す如く、座部９は周端部の５箇所において、スナップボタン２０乃至２４により、本体部２の下面に着脱自在に形成されている。すなわち、座部９の後ろ側端部の左右端部と、前側端部の中央及び左右端部の５箇所にオス側スナップボタン２０Ａ乃至２４Ａが縫着されており、これらのオス側スナップボタン２０Ａ乃至２４Ａの各々に対応して、左右の肘掛け部４、５の後ろ側端部の下面で内側開口１０寄りにメス側スナップボタン２０Ｂ、２１Ｂ、前側台部８の下面の中央及び凹部６の左外側と凹部７の右外側にメス側スナップボタン２２Ｂ乃至２４Ｂが縫着されている。オス側スナップボタン２０Ａ乃至２４Ａが個別にメス側スナップボタン２０Ｂ乃至２４Ｂと対となって、スナップボタン２０乃至２４を成す。
【００１５】
次に、上記した実施例の使用方法を説明する。
（１）乳幼児を座らせる場合（図１参照）
乳幼児用具１に上体を起こした状態で乳幼児を座らせたい場合、図１の如く、線ファスナー１７、１８を閉じて背凭れ部３の左右端部を左右の肘掛け部４、５の後ろ側端部に連結した状態とし、スナップボタン２０乃至２２を閉じて座部９を本体部２の下面に装着した状態とする。スナップボタン２３、２４は外し、凹部６、７の下側を開けておく。
乳幼児Ａを本体部２の内側開口１０に抱き入れ、お尻を座部９の上に載せるとともに、右足と左足を片足ずつ前側台部８の左右の凹部６、７に通し、スナップボタン２３、２４を嵌着する。そして乳幼児Ａの上体を起こした状態で背凭れ部３に凭せ掛ける。おもちゃ取り付け部１１、１２におもちゃ（図示せず）を取り付ければ、乳幼児が遊ぶことができる。
母親Ｄが目を離した隙に乳幼児Ａが内側開口１０から外に出ようとしても、前側台部８が邪魔して外に出るのを阻止する。
【００１６】
（２）乳幼児を寝かせる場合
本体部２の内、背凭れ部３の左右端部の線ファスナー１７、１８を周方向に開いて背凭れ部３を本体部２から一部を残して分離した状態とし、背凭れ部本体３Ａを丸めた状態から広げていき（図８、図９参照）、更に、左右の２つ折り部分を各々左右に広げて一枚の方形のマット体１９に展開する（図１０、図１１参照）。広げたマット体１９は乳幼児Ａの体より遥かに広いので、楽に仰向けに寝かせることができる。
【００１７】
（３）背凭れ部を展開状態から元に戻したい場合
図１１の状態から背凭れ部３を丸めて本体部２に連結したい場合、まずマット体１９の左半分の部分で左から右へ２つ折りし、右半分の部分で右から左へ２つ折りし、先端側から基端側へ丸めて背凭れ部本体３Ａとし、左右両端部の線ファスナー１７、１８を閉める。この際、背凭れ部３の左右端部と左右の肘掛け部４、５の後ろ側端部が一箇所（９ａ、９ｂ参照）で繋がっているので、第１、第２のファスナー部材１７Ａと１７Ｂ、第１、第２のファスナー部材１８Ａと１８Ｂの始端を容易に合わせることができる。線ファスナー１７、１８を閉めることにより、背凭れ部３の左右両端部を左右の肘掛け部４、５の後ろ側端部に連結することができ、再び乳幼児Ａを座らせることができる。
【００１８】
この実施例によれば、クッション性が有り、座り姿勢の乳幼児Ａが背中を凭せ掛ける背凭れ部３、クッション性が有り、座り姿勢の乳幼児Ａが右肘と左肘を掛ける左右の肘掛け部４、５、クッション性が有り、下側に座り姿勢の乳幼児Ａが右足と左足を前後に通す凹部６、７の形成された前側台部８とが内側開口１０を囲むようにドーナツ状に繋がった本体部２と、本体部２の下面に配設されたクッション性の有る座部９とを備え、背凭れ部３は、方形のマット体１９を折り曲げたり、丸めたりして小さく略円柱状に仕舞った状態とした背凭れ部本体３Ａから構成し、背凭れ部３の左右端部と左右の肘掛け部４、５の後ろ側端部との間を線ファスナー１７、１８により、一部を残して分離可能に形成するとともに、分離した背凭れ部３の背凭れ部本体３Ａを方形に展開可能としたので、方形のマット体１９を小さく仕舞った状態にした背凭れ部本体３Ａから成る背凭れ部３を、線ファスナー１７、１８により、左右の肘掛け部４、５の後ろ側端部に連結した状態とすれば、乳幼児Ａが上体を起こして座れる用具となり、背凭れ部３の連結を外し、背凭れ部３Ａを展開してマット体１９を広げれば、乳幼児Ａを仰向けに寝かせることのできる用具となり、簡易で多機能な乳幼児用具を実現できる。
また、乳幼児Ａを座らせる際、座部９の前側端部の左右のスナップボタン２３、２４を外しておくことで、右足と左足を容易に凹部６、７の中に入れることができる。
また、前側台部８の上におもちゃ取り付け部１１、１２を取着したので、座った乳幼児Ａがおもちゃで遊ぶこともできる。
また母親Ｄが目を離した隙に乳幼児Ａが内側開口１０から外に出ようとしても、前側台部８が邪魔して外に出るのを阻止する。
【００１９】
なお、上記した実施例では、座部９の前端部中央と前側台部８の下面中央の間をスナップボタン２２により着脱自在としたが、縫着して外せないようにしても良い（図１２の波線Ｂ参照）。
【００２０】
また上記した実施例では、背凭れ部３を成すマット体１９の基端と座部９の後端との接続箇所の内の左右端９ａ、９ｂが左右の肘掛け部４、５の後ろ側端部の一箇所に装着されている場合を例に挙げて説明したが、本発明は何らこれに限定されず、図１３に示す如く装着しないようにして、線ファスナー１７、１８を全開することで、左右の肘掛け部４、５から背凭れ部３を成すマット体１９を完全に分離可能とし、スナップボタン２０乃至２４も全て外すことにより、背凭れ部３と座部９を本体部２から完全に分離可能としても良い。これにより、座部９付のマット体１９を単独で持ち運ぶことで外出先で乳幼児を寝かせたり、オムツ替の際の下敷き等に使用でき、座部９付のマット体１９を分離して洗えるので洗濯が容易となる。
【００２１】
背凭れ部３を成すマット体１９の基端と座部９の後端との接続箇所の内、左右端９ａ、９ｂを左右の肘掛け部４、５の後ろ端部の一箇所に装着する場合もしない場合も、更に図１４、図１５の背凭れ部３０に示す如く、側面に沿って形成された開口３１から背凭れ部本体３Ａを内部に出し入れ可能で、略円筒状に形成されるとともに左右端面が閉塞された収納袋３２を付加し、この収納袋３２の左右端部の周方向に第１のファスナー部材１７Ａ、１８Ａを取着するようにしても良い。収納袋３２は背凭れ部本体３Ａとは分離した別体でも良いが、例えば図１６に示す如く、予めマツト体１９に縫着しておくこともできる（符号Ｃ参照。なお、図１６はマット体１９の基端と座部９の後端との接続箇所の内、左右端を左右の肘掛け部４、５の後ろ端部の一箇所に装着しない場合を示す）。
このように、略円筒状の収納袋３２を付設し、収納袋３２の左右の両端部にファスナー部材１７Ａ、１８Ａを装着することにより、背凭れ部３０の形態が安定し、左右の肘掛け部４、５に対する連結・分離が容易となる。また、収納袋３２に背凭れ部本体３Ａとともにタオル等を入れることで、背凭れ部３０の高さ調節や内部開口１０の広狭調節が可能となり、乳幼児を座らせる際に体格に合わせて安定した姿勢で背中を支えることができる。
【実施例２】
【００２２】
図１７乃至図２１を参照して本発明の第２実施例を説明する。図１７は本発明に係る乳幼児用具の外観斜視図、図１８と図１９は乳幼児用具の平面図と底面図、図２０は図１８のＸＸ−ＸＸ’線に沿った断面図、図２１は乳幼児用具から胴入れ部を取り外した底面図である。なお、図１と同一の構成部分には同一の符号が付して有る。
第１実施例では、本体部の内の左右の肘掛け部と前側台部が一体化された例を挙げて説明したのに対し、この第２実施例では前側台部の一部を胴入れ部として分離・連結自在とし、母親が胴体を本体部の内側開口の中に入れ、乳幼児を本体部に載せて授乳可能としたものである。
【００２３】
図１７乃至図２１において、１０１は乳幼児用具であり、全体がクッション性を有するとともに、１つの用具により乳幼児が上体を起こした姿勢で座ったり、仰向けで寝たりすることができる。乳幼児用具１０１の内、１０２は本体部であり、クッション性が有り、座り姿勢の乳幼児が背中を凭せ掛ける背凭れ部３、クッション性が有り、座り姿勢の乳幼児が右肘と左肘を掛ける左右の肘掛け部１０４、１０５、クッション性が有り、下側に座り姿勢の乳幼児が右足と左足を前後に通す凹部１０６、１０７が左右に並べて形成された前側台部１０８とが内側開口１０を囲むようにドーナツ状に繋げられて成る。９はクッション性が有り、本体部１０２の内側開口１０を塞ぐように本体部１０２の下面に配設された方形でマット状の座部である。１１、１２は前側台部１０８の上面に取着された布製でリング状のおもちゃ取り付け部である。
【００２４】
前側台部１０８の内、左側の凹部１０６の真ん中近くから右側の凹部１０７の真ん中近くまでの部分が胴入れ部１２０として、連結部材の一例としての線ファスナー１２１、１２２により本体部１０２から分離・連結自在に形成されている。前側台部１０８の左端部は一体部１２３として左側の肘掛け部１０４と一体的に形成されており、クッション材１２４を布製の内カバー１２５の中に収納した芯体１２６を更に布製の外カバー１２７で包囲して成る（図２０参照）。同様に前側台部１０８の右端部は一体部１２８として右側の肘掛け部１０５と一体的に形成されており、クッション材１２９を布製の内カバー１３０の中に収納した芯体１３１を更に布製の外カバー１３２で包囲して成る（図２０参照）。胴入れ部１２０はクッション材１３３を布製の内カバー１３４の中に収納した芯体１３５を更に布製の外カバー１３６で包囲して成る（図２０参照）。
【００２５】
線ファスナー１２１は胴入れ部１２０の左端の外周に沿って取着された第１のファスナー部材１２１Ａ、一体部１２３の右端の外周に沿って取着された第２のファスナー部材１２１Ｂ、第１、第２のファスナー部材１２１Ａと１２１Ｂに摺動自在に嵌合されて線ファスナー１２１を開閉するスライダ１２１Ｃから成る。線ファスナー１２２は胴入れ部１２０の右端の外周に沿って取着された第１のファスナー部材１２２Ａ、一体部１２８の左端の外周に沿って取着された第２のファスナー部材１２２Ｂ、第１、第２のファスナー部材１２２Ａと１２２Ｂに摺動自在に嵌合されて線ファスナー１２２を開閉するスライダ１２２Ｃから成る。線ファスナー１２１、１２２を開閉することで本体部１０２に対し胴入れ部１２０を分離・連結可能となっている。
その他の構成部分は図１と同様に構成されている。
【００２６】
次に、上記した第２実施例の使用方法を説明する。
（１）乳幼児を座らせる場合（図１７参照）
乳幼児用具１０１に上体を起こした状態で乳幼児Ａを座らせたい場合、図１７の如く、線ファスナー１７、１８を閉じて背凭れ部３の左右端部を左右の肘掛け部１０４、１０５の後ろ側端部に連結した状態とする。また、線ファスナー１２１、１２２を閉じ、胴入れ部１２０を一体部１２３、１２８に連結した状態とする。そして、スナップボタン２０乃至２２を嵌着して座部９を本体部１０２の下面に装着した状態とする。スナップボタン２３、２４は外し、凹部１０６、１０７の下側を開けておく。
乳幼児Ａを本体部１０２の内側開口１０に抱き入れ、お尻を座部９の上に載せるとともに、右足と左足を片足ずつ前側台部１０８の左右の凹部１０６、１０７に通し、スナップボタン２３、２４を閉じる（図１７参照）。そして乳幼児Ａの上体を起こした状態で背凭れ部３に凭せ掛ける。おもちゃ取り付け部１１、１２におもちゃ（図示せず）を取り付ければ、乳幼児が遊ぶことができる。
母親が目を離した隙に乳幼児Ａが内側開口１０から外に出ようとしても、前側台部１０８が邪魔して外に出るのを阻止する。
【００２７】
（２）乳幼児を寝かせる場合
乳幼児を仰向けに寝かせたい場合、線ファスナー１７、１８を開けて背凭れ部３を左右の肘掛け部１０４、１０５から分離し、マット体１９を展開すれば良い（図９乃至図１１参照）。
【００２８】
（３）授乳したい場合
図１７の状態から、母親Ｄが胴体を内側開口１０の中に入れるのに邪魔になるスナップボタン２２乃至２４を外し、座部９を背凭れ部３の下側に折り曲げるとともに、線ファスナー１２１、１２２を開け、胴入れ部１２０を本体部１０２から分離する（図２１参照）。母親Ｄは上体を起こした座り姿勢で、胴体を本体部１０２の内側開口１０の中に入れる。そして、乳幼児Ａを背凭れ部３の上に載せ授乳を行う（図２２参照）。
授乳後、乳幼児用具１０１を元の状態に戻したい場合、母親Ｄは胴体を本体部１０２の内側開口１０から出し、線ファスナー１２１、１２２を閉じて胴入れ部１２０を本体部１０２に連結し、スナップボタン２２乃至２４を嵌着すれば良い。
【００２９】
この第２実施例によれば、第１実施例と同様に乳幼児Ａを座らせたり、寝かせたりできるほか、胴入れ部１２０を本体部１０２から分離し、母親Ｄが上体を起こした座り姿勢で胴体を本体部１０２の内側開口１０の中に入れ、乳幼児Ａを背凭れ部３の上に載せて授乳を行うこともできる。
【００３０】
なお、第２実施例において、背凭れ部３を成すマット体１９の基端と座部９の後端との接続箇所の内、左右端を左右の肘掛け部１０４、１０５の後ろ側端部の一箇所に装着するようにしても良いが（図１１参照）、図１３と同様に装着しないようにして、線ファスナー１７、１８を全開することで、左右の肘掛け部１０４、１０５から背凭れ部３を成すマット体１９を完全に分離可能とし、スナップボタン２０乃至２４も全て外すことにより、背凭れ部３と座部９を本体部１０２から完全に分離可能としても良い。これにより、座部９付のマット体１９を単独で持ち運ぶことで外出先で乳幼児を寝かせたり、オムツ替の際の下敷き等に使用でき、座部９付のマット体１９を分離して洗えるので洗濯が容易となる。
また、図１４乃至図１６の如く、マット体１９を小さく仕舞った状態とした背凭れ部本体３Ａを内部に出し入れ可能で、略円筒状に形成されるとともに左右端面が閉塞された収納袋３２を付加し、この収納袋３２の左右端部の周方向に第１のファスナー部材１７Ａ、１８Ａを取着するようにすれば、背凭れ部３０の形態が安定し、左右の肘掛け部１０４、１０５に対する連結・分離が容易となる。また、収納袋３２に背凭れ部本体３Ａとともにタオル等を入れることで、背凭れ部３０の高さ調節や内部開口１０の広狭調節が可能となり、乳幼児Ａを座らせる際に体格に合わせて安定した姿勢で背中を支えることができる。胴入れ部１２０を分離し、母親Ｄが内側開口１０に胴体を入れて授乳を行う際に、背凭れ部３０の高さが低い場合や背凭れ部本体３Ａ、本体部１０２の芯体にへたりが生じたときでも、収納袋３２にタオル等を入れることで、背凭れ部３０を授乳に適した高さに調節することができる。
【００３１】
また、前側台部１０８の一部を分離・連結可能とし、前側台部１０８の内、左端部１２３と右端部１２８は左右の肘掛け部１０４、１０５と一体の本体部１０２に残るようにしたが、前側台部１０８の左右端と左右の肘掛け部１０４、１０５の前端側の境界に線ファスナー１２１、１２２を設けるようにして、前側台部１０８の全体を分離・連結可能に形成しても良い。
【００３２】
また、上記した第２実施例では本体部１０２から胴入れ部１２０を分離・連結自在としたが、図２３の乳幼児用具１０１Ａに示す如く、本体部１０２Ａの前側台部１０８Ａを左右方向の中央近くで２分割し、左側の分割部１４０の右端部と右側の分割部１４１の左端部の間に介装した開閉部としての線ファスナー１４２により開閉自在に形成しても良い（図２４の矢印Ｈ、Ｇ参照）。線ファスナー１４２は左側の分割部１４０の右端部の周方向に沿って設けられた第１のファスナー部材１４２Ａ、右側の分割部１４１の左端部の周方向に沿って設けられた第２のファスナー部材１４２Ｂ、第１、第２のファスナー部材１４２Ａ、１４２Ｂに摺動自在に嵌合されて線ファスナー１４２の開閉を行うスライダー１４２Ｃから成る。
乳幼児Ａを座らせたい場合は、線ファスナー１４２を閉じて左右の分割部１４０、１４１の間を連結して閉じ、スナップボタン２２乃至２４を嵌着すれば良い（図２３参照）。母親Ｄが胴体を内側開口１０に入れ、本体部１０２Ａの背凭れ部３の上に乳幼児Ａを載せて授乳したい場合、スナップボタン２２乃至２４を外すとともに線ファスナー１４２を開き、左右の分割部１４０、１４１を手前側に開けば良い（図２４参照）。
【００３３】
或いは、図２５の乳幼児用具１０１Ｂに示す如く、本体部１０２Ｂの前側台部１０８Ｂを左右方向の右端近くで２分割し、左側の分割部１５０の右端部と右側の分割部１５１の左端部の間に介装した開閉部としての線ファスナー１５２により開閉自在に形成しても良い（図２６の矢印Ｉ参照）。線ファスナー１５２は左側の分割部１５０の右端部の周方向に沿って設けられた第１のファスナー部材１５２Ａ、右側の分割部１５１の左端部の周方向に沿って設けられた第２のファスナー部材１５２Ｂ、第１、第２のファスナー部材１５２Ａ、１５２Ｂに摺動自在に嵌合されて線ファスナー１５２の開閉を行うスライダー１５２Ｃから成る。
乳幼児Ａを座らせたい場合は、線ファスナー１５２を閉じて左右の分割部１５０、１５１の間を連結して閉じ、スナップボタン２２乃至２４を嵌着すれば良い（図２５参照）。母親Ｄが胴体を内側開口１０に入れ、本体部１０２Ｂの背凭れ部３の上に乳幼児Ａを載せて授乳したい場合、スナップボタン２２乃至２４を外すとともに線ファスナー１５２を開き、左の分割部１５０を手前側に開けば良い（図２６参照）。
【実施例３】
【００３４】
図２７乃至図３３を参照して本発明の第３実施例を説明する。図２７は本発明に係る乳幼児用具の外観斜視図、図２８乃至図３２は各々、乳幼児用具の平面図、正面図、背面図、右側面図、底面図、図３３は図２８のXXXIII−XXXIII’線に沿った断面図である。なお、図１と同一の構成部分には同一の符号が付して有る。
第１実施例では、本体部から背凭れ部を分離し、展開した方形のマット体に乳幼児を寝かせる場合を例に挙げて説明したのに対し、この第３実施例では本体部の下面に座部を折り曲げた状態で配設しておき、本体部から背凭れ部を分離しながら広げた座部に乳幼児を寝かせるようにしたものである。
【００３５】
図２７乃至図３３において、２０１は乳幼児用具であり、全体がクッション性を有するとともに、１つの用具により乳幼児が上体を起こした座り姿勢で座ったり、寝たりすることができる。乳幼児用具２０１の内、２０２は本体部であり、クッション性が有り、座り姿勢の乳幼児が背中を凭せ掛ける背凭れ部２０３、クッション性が有り、座り姿勢の乳幼児が右肘と左肘を掛ける左右の肘掛け部２０４、２０５、クッション性が有り、下側に座り姿勢の乳幼児が右足と左足を片足ずつ前後に通す凹部６、７が左右に並べて形成された前側台部８とが内側開口１０を囲むようにドーナツ状に繋げられて成る。２０９はクッション性が有り、本体部２０２の内側開口１０を塞ぐように本体部２０２の下面に配設された方形でマット状の座部である。１１、１２は前側台部８の上面に取着された布製でリング状のおもちゃ取り付け部である。
【００３６】
左右の肘掛け部２０４、２０５と前側台部８は一体的に形成されており、クッション材２１３を布製の内カバー２１４の中に収納した芯体２１５を布製の外カバー２１６で包囲して成る（図３３参照）。背凭れ部２０３の左端部と左の肘掛け部４の後ろ側端部の間は、周方向に沿って設けられた連結部材の一例しての線ファスナー１７により、分離・連結可能になっている。線ファスナー１７は、背凭れ部２０３の左端部の周方向に沿って設けられた第１のファスナー部材１７Ａ、左側の肘掛け部２０４の後ろ側端部の周方向に沿って設けられた第２のファスナー部材１７Ｂ、第１、第２のファスナー部材１７Ａ、１７Ｂに摺動自在に嵌合されて線ファスナー１７の開閉を行うスライダ１７Ｃから成る。
【００３７】
同様に背凭れ部２０３の右端部と右の肘掛け部２０５の後ろ側端部の間は、周方向に沿って設けられた連結部材の一例しての線ファスナー１８により、分離・連結可能になっている。線ファスナー１８は、背凭れ部２０３の右端部の周方向に沿って設けられた第１のファスナー部材１８Ａ、右側の肘掛け部２０５の後ろ側端部の周方向に沿って設けられた第２のファスナー部材１８Ｂ、第１、第２のファスナー部材１８Ａ、１８Ｂに摺動自在に嵌合されて線ファスナー１８の開閉を行うスライダ１８Ｃから成る。
【００３８】
背凭れ部２０３は、ここでは図３３に示す如く、クッション材２１７を布製の内カバー２１８の中に収納した芯体２１９を布製の外カバー２２０で包囲して成る。座部２０９は奥行き方向（前後方向）に長く、クッション性の有る長方形状で乳幼児より広いマット体２０９Ａにより形成されている。マット体２０９Ａは平面的に見て横幅が内側開口１０より長く形成されており、奥行き方向は本体部２０２の下面の前端から後端までの長さより長く形成されている（例えば、奥行きが月齢６ケ月乳幼児の身長７０ｃｍの１．５乃至２．５倍程度、横幅が月齢６ヶ月の乳幼児の肩幅約２０cmの１．５倍乃至２．５倍程度）。
【００３９】
座部２０９はマット体２０９Ａの内、前後方向の中央から後ろ半分の部分が２つ折りにされた状態で、内側開口１０を塞ぐようにして本体部２０２の下面に着脱自在に装着されている。具体的には、座部２０９を成すマット体２０９Ａの前端部の中央と左右端部が前側台部８の下面の中央と凹部６の左側及び凹部７の右側にスナップボタン２２乃至２４により着脱自在に装着されている。また、座部２０９を成すマット体２０９Ａの後端縁が連結部材としての線ファスナー２２１により、背凭れ部２０３の下面の前端部に分離・連結自在に連結されている。線ファスナー２２１は、マット体２０９Ａの後端に沿って左右方向に延設して取着された第１のファスナー部材２２１Ａ、背凭れ部２０３の下面の前端沿って左右方向に延設して取着された第２のファスナー部材２２１Ｂ、第１、第２のファスナー部材２２１Ａ、２２１Ｂに摺動自在に嵌合されて線ファスナー２２１を開閉するスライダー２２１Ｃから成る（図３７参照）。
更に、マット体２０９Ａの折り曲げ箇所２２２近くの左右端部がスナップボタン２２３、２２４により背凭れ部２０３の下面の後端近くの左右端部に着脱自在に装着されている。スナップボタン２２３はマット体２０９Ａの折り曲げ箇所２２２近くの左端部に取着されたオス側スナップボタン２２３Ａと、背凭れ部２０３の下面の後端近くの左端部に取着されたメス側スナップボタン２２３Ｂから成り、スナップボタン２２４はマット体２０９Ａの折り曲げ箇所２２２近くの右端部に取着されたオス側スナップボタン２２４Ａと、背凭れ部２０３の下面の後端近くの右端部に取着されたメス側スナップボタン２２４Ｂから成る（図３６参照）。
【００４０】
次に、図２７、図３４乃至図３７を参照して上記した第３実施例の使用方法を説明する。
（１）乳幼児を座らせる場合（図２７参照）
乳幼児用具２０１に上体を起こした状態で乳幼児Ａを座らせたい場合、図２７の如く、線ファスナー１７、１８を閉じて背凭れ部２０３の左右端部を左右の肘掛け部２０４、２０５の後ろ側端部に連結した状態とする。また線ファスナー２２１を閉じて座部２０９を成すマット体２０９Ａの後端を背凭れ部２０３の下面の前端部に連結し、スナップボタン２２、２２３、２２４を嵌着してマット体２０９Ａの後部を２つ折りした座部２０９を本体部２０２の下面に装着し、内側開口１０を座部２０９で塞いだ状態とする。スナップボタン２３、２４は外し、凹部６、７の下側を開けておく。
乳幼児Ａを本体部２０２の内側開口１０に抱き入れ、お尻を座部２０９の上に載せるとともに、右足と左足を片足ずつ前側台部８の左右の凹部６、７に通し、スナップボタン２３、２４を閉じる。そして乳幼児の上体を起こした状態で背凭れ部２０３に凭せ掛ける。おもちゃ取り付け部１１、１２におもちゃ（図示せず）を取り付ければ、乳幼児が遊ぶことができる。
母親Ｄが目を離した隙に乳幼児Ａが内側開口１０から外に出ようとしても、前側台部８が邪魔して外に出るのを阻止する。
【００４１】
（２）乳幼児を寝かせる場合
本体部２０２の内、背凭れ部２０３の左右端部の線ファスナー１７、１８を周方向に開いて背凭れ部２０３を本体部２０２から分離した状態とし、スナップボタン２２３、２２４も外して背凭れ部２０３を後方へ移動し、座部２０９を成すマット体２０９Ａの２つ折り部分を後方へ広げる（図３４乃至図３６参照）。広げたマット体２０９Ａは乳幼児Ａの体より広いので、楽に仰向けに寝かせることができる。
【００４２】
（３）背凭れ部を展開状態から元に戻したい場合
図３６の状態から背凭れ部２０３を本体部２０２に連結したい場合、背凭れ部２０３を前方へ移動して左右端部の線ファスナー１７、１８を周方向に閉じて背凭れ部２０３を本体部２０２に連結し、マット体２０９Ａの後部を２つ折りにした状態でスナップボタン２２３、２２４を嵌着して、座部２０９の折り曲げ箇所２２２の左右端部を背凭れ部２０３の下面の後端部の左右端部に装着すれば良い。
【００４３】
（４）座部の分離
図３６の状態から線ファスナー２２１を開けてマット体２０９Ａの後端と背凭れ部２０３を分離し、スナップボタン２２乃至２４を外してマット体２０９Ａと本体部２０２を分離することで、マット体２０９Ａを分離できる（図３７参照）。これにより、マット体２０９Ａを単独で持ち運ぶことで外出先で乳幼児Ａを寝かせたり、オムツ替の際の下敷き等に使用でき、マット体２０９Ａを分離して洗えるので洗濯が容易となる。
【００４４】
この第３実施例によれば、クッション性が有り、座り姿勢の乳幼児Ａが背中を凭せ掛ける背凭れ部２０３、クッション性が有り、座り姿勢の乳幼児Ａが両肘を掛ける左右の肘掛け部２０４、２０５、クッション性が有り、下側に座り姿勢の乳幼児Ａが両足を前後に通す凹部６、７の形成された前側台部８とが内側開口１０を囲むようにドーナツ状に繋がった本体部２０２と、本体部２０２の下面に配設されたクッション性の有る座部２０９とを備え、背凭れ部２０３の左右端部と左右の肘掛け部２０４、２０５の後ろ側端部の間を線ファスナー１７、１８により分離・連結自在に形成し、座部２０９は、本体部２０２の前後の奥行きより前後に長い方形のマット体２０９Ａの後部を前後方向に２つ折りにした状態で、マット体２０９Ａの後端と折り曲げ箇所２２２の左右端部とを線ファスナー２２１、スナップボタン２２３、２２４により背凭れ部２０３の下面の前端部と後端部に着脱自在に形成したことにより、背凭れ部２０３を本体部２０２に連結し、座部２０９の前端部を本体部２０２の下面の前端部に装着し、後部を２つ折りして背凭れ部２０３の下面に装着した状態とすれば、乳幼児Ａが上体を起こして座れる用具となり、背凭れ部２０３と本体部２０２の連結を外し、スナップボタン２２３、２２４を外して座部２０９の後部の折り曲げ箇所２２２と背凭れ部２０３の下面の結合を外し、背凭れ部２０３を後方へ移動させてマット体２０９Ａを前後に広げれば、乳幼児Ａを寝かせる用具となる。
そして、乳幼児Ａを座らせたい場合と寝かせたい場合の変更は、本体部２０２に対する背凭れ部２０３の分離・連結と、座部２０９の折り曲げ箇所２２２における座部２０９と背凭れ部２０３の着脱を行うだけで、簡単に行える。
また、乳幼児Ａを座らせる際、座部２０９の前側端部の左右のスナップボタン２３、２４を外しておくことで、両足を片足ずつ容易に凹部６、７の中に入れることができる。
また、前側台部８の上におもちゃ取り付け部１１、１２を取着したので、座った乳幼児Ａがおもちゃで遊ぶこともできる。
また、座部２０９を成すマット体２０９Ａを本体部２０２から完全に分離できるので、マット体２０９Ａを単独で持ち運ぶことで外出先で乳幼児Ａを寝かせたり、オムツ替の際の下敷き等に使用でき、マット体２０９Ａを分離して洗えるので洗濯が容易となる。
また母親Ｄが目を離した隙に乳幼児Ａが内側開口１０から外に出ようとしても、前側台部８が邪魔して外に出るのを阻止する。
【００４５】
なお、上記した第３実施例では、座部２０９を成すマット体２０９Ａの前端部中央と前側台部８の下面中央の間をスナップボタン２２により着脱自在としたが、縫着して外せないようにしても良く（図３８の波線Ｅ参照）、マット体２０９Ａの後端と背凭れ部２０３の下面の前端部との間を線ファスナー２２１により分離・連結自在としたが、縫着して分離不能に結合しても良い（図３８の破線Ｆ参照）。
また、マット体２０９Ａの後部を２つ折り状態にして背凭れ部２０３の下面にスナップボタン２２３、２２４により着脱自在とするようにしたが、３つ折り以上に折り曲げた状態を保持して背凭れ部２０３の下面に着脱自在とできるように、背凭れ部２０３とマット体２０９Ａの間、マット体２０９Ａ同士の間を着脱自在とするスナップボタンを追加すれば、奥行き方向の長いマット体２０９Ａも使用可能となる。
【実施例４】
【００４６】
次に図３９乃至図４１を参照して本発明の第４実施例を説明する。図３９は本発明に係る乳幼児用具の外観斜視図、図４０は乳幼児用具の底面図、図４１は乳幼児用具から前側台部を取り外した底面図である。
第３実施例では、本体部の内の左右の肘掛け部と前側台部が一体化された例を挙げて説明したのに対し、この第４実施例では前側台部の一部を分離・連結自在とし、母親が胴体を本体部の内側開口の中に入れ、乳幼児を本体部に載せて授乳可能としたものである。なお、図１７、図２７と同一の構成部分には同一の符号が付して有る。
【００４７】
図３９乃至図４１において、３０１は乳幼児用具であり、全体がクッション性を有するとともに、１つの用具により乳幼児が上体を起こした姿勢で座ったり、寝たりすることができる。乳幼児用具３０１の内、３０２は本体部であり、クッション性が有り、座り姿勢の乳幼児が背中を凭せ掛ける背凭れ部２０３、クッション性が有り、座り姿勢の乳幼児が右肘と左肘を掛ける左右の肘掛け部３０４、３０５、クッション性が有り、下側に座り姿勢の乳幼児が右足と左足を片足ずつ前後に通す凹部１０６、１０７が左右に並べて形成された前側台部１０８とが内側開口１０を囲むようにドーナツ状に繋げられて成る。２０９はクッション性が有り、本体部３０２の内側開口１０を塞ぐように本体部３０２の下面に配設された座部である。１１、１２は前側台部１０８の上面に取着された布製でリング状のおもちゃ取り付け部である。
【００４８】
前側台部１０８の内、左側の凹部１０６の真ん中近くから右側の凹部１０７の真ん中近くまでの部分が胴入れ部１２０として、連結部材の一例としての線ファスナー１２１、１２２により本体部３０２から分離・連結自在に形成されている。前側台部１０８の左端部は一体部１２３として左側の肘掛け部３０４と一体的に形成されており、クッション材を布製の内カバーの中に収納した芯体を更に布製の外カバーで包囲して成る。同様に前側台部１０８の右端部は一体部１２８として右側の肘掛け部３０５と一体的に形成されており、クッション材を布製の内カバーの中に収納した芯体を更に布製の外カバーで包囲して成る（図２０参照）。胴入れ部１２０はクッション材を布製の内カバーの中に収納した芯体を更に布製の外カバーで包囲して成る（図２０参照）。
【００４９】
線ファスナー１２１は胴入れ部１２０の左端の外周に沿って取着された第１のファスナー部材１２１Ａ、一体部１２３の右端の外周に沿って取着された第２のファスナー部材１２１Ｂ、第１、第２のファスナー部材１２１Ａ、１２１Ｂに摺動自在に嵌合されて線ファスナー１２１を開閉するスライダー１２１Ｃから成る。線ファスナー１２２は胴入れ部１２０の右端の外周に沿って取着された第１のファスナー部材１２２Ａ、一体部１２８の左端の外周に沿って取着された第２のファスナー部材１２２Ｂ、第１、第２のファスナー部材１２２Ａ、１２２Ｂに摺動自在に嵌合されて線ファスナー１２２を開閉するスライダ１２２Ｃから成る。線ファスナー１２１、１２２を開閉することで本体部３０２に対し胴入れ部１２０を分離・連結可能である。
その他の構成部分は図１７、図２７と同様に構成されている。
【００５０】
次に、上記した第４実施例の使用方法を説明する。
（１）乳幼児を座らせる場合（図３９参照）
乳幼児用具３０１に上体を起こした状態で乳幼児Ａを座らせたい場合、図３９の如く、線ファスナー１７、１８を閉じて背凭れ部２０３の左右端部を左右の肘掛け部３０４、３０５の後ろ側端部に連結した状態とする。また、線ファスナー１２１、１２２を閉じ、胴入れ部１２０を一体部１２３、１２８に連結した状態とする。そして、スナップボタン２２を嵌着して座部２０９の前端部の中央を本体部３０２の下面中央に装着した状態とし、スナップボタン２２３、２２４を嵌着して折り曲げ箇所２２２の左右端部を背凭れ部２０３の下面後端部の左右端部に装着した状態とする。スナップボタン２３、２４は外し、凹部１０６、１０７の下側を開けておく。
乳幼児Ａを本体部３０２の内側開口１０に抱き入れ、お尻を座部２０９の上に載せるとともに、右足と左足を片足ずつ前側台部１０８の左右の凹部１０６、１０７に通し、スナップボタン２３、２４を閉じる（図３９参照）。そして乳幼児Ａの上体を起こした状態で背凭れ部２０３に凭せ掛ける。おもちゃ取り付け部１１、１２におもちゃ（図示せず）を取り付ければ、乳幼児Ａが遊ぶことができる。
母親Ｄが目を離した隙に乳幼児Ａが内側開口１０から外に出ようとしても、前側台部８が邪魔して外に出るのを阻止する。
【００５１】
（２）乳幼児を寝かせる場合
乳幼児Ａを仰向けに寝かせたい場合、線ファスナー１７、１８を開けて背凭れ部２０３を左右の肘掛け部３０４、３０５から分離し、座部２０９を後方へ広げれば良い（図３４乃至図３６参照）。
【００５２】
（３）授乳したい場合
図３９の状態から、母親Ｄが胴体を内側開口１０の中に入れるのに邪魔になるスナップボタン２２乃至２４を外し、座部２０９の前部を背凭れ部２０３の下側に折り曲げるとともに（マット体２０９Ａは３つ折り状態となる）、線ファスナー１２１、１２２を開け、胴入れ部１２０を本体部３０２から分離する（図４１参照）。母親Ｄは上体を起こした座り姿勢で、胴体を本体部３０２の内側開口１０の中に入れる。そして、乳幼児Ａを背凭れ部２０３の上に載せ授乳を行う（図４２参照）。
授乳後、乳幼児用具３０１を元の状態に戻したい場合、母親Ｄは胴体を本体部３０２の内側開口１０から出し、線ファスナー１２１、１２２を閉じて胴入れ部１２０を本体部３０２に連結し、座部２０９の前端部のスナップボタン２２乃至２４を閉じて本体部３０２の下面の前端部に装着し、スナップボタン２２３、２２４を嵌着して折り曲げ箇所２２２の左右端部を背凭れ部２０３の下面後端部の左右端部に装着した状態とすれば良い。
【００５３】
この第４実施例によれば、第３実施例と同様に乳幼児Ａを座らせたり、寝かせたりできるほか、胴入れ部１２０を本体部３０２から分離し、母親Ｄが上体を起こした座り姿勢で胴体を本体部３０２の内側開口１０の中に入れ、乳幼児Ａを背凭れ部２０３の上に載せて授乳を行うこともできる。
また線ファスナー２２１を開けてマット体２０９Ａの後端と背凭れ部２０３を分離し、スナップボタン２２乃至２４を外してマット体２０９Ａと本体部３０２を分離することで、マット体２０９Ａを容易に分離できる。これにより、マット体２０９Ａを単独で持ち運ぶことで外出先で乳幼児を寝かせたり、オムツ替の際の下敷き等に使用でき、マット体２０９Ａを分離して洗えるので洗濯が容易となる。
【００５４】
なお、第４実施例では、座部２０９を成すマット体２０９Ａの前端部中央と前側台部１０８の下面中央の間をスナップボタン２２により着脱自在としたが、縫着して外せないようにしても良く（図３８の波線Ｅ参照）、マット体２０９Ａの後端と背凭れ部２０３の下面の前端部との間を線ファスナー２２１により分離・連結自在としたが、縫着して分離不能に結合しても良い（図３８の破線Ｆ参照）。
【００５５】
また、前側台部１０８の一部を分離・連結可能とし、前側台部１０８の内、左端部１２３と右端部１２８は左右の肘掛け部３０４、３０５と一体の本体部３０２に残るようにしたが、前側台部１０８の左右端と左右の肘掛け部３０４、３０５の前端側の境界に線ファスナー１２１、１２２を設けるようにして、前側台部１０８の全体を分離・連結可能に形成しても良い。
【００５６】
また、上記した第４実施例では本体部から胴入れ部を分離・連結自在としたが、図２３乃至図２６で説明したのと同様にして、本体部の前側台部の中央近くまたは端部近くに開閉部を設けて開閉自在に形成しても良い。乳幼児Ａを座らせたい場合は開閉部を閉じ（図２３、図２５参照）、母親Ｄが胴体を内側開口に入れ、本体部の背凭れ部の上に乳幼児を載せて授乳したい場合、開閉部を開ければ良い（図２４、図２６参照）。
【実施例５】
【００５７】
次に図４３乃至図４５を参照して本発明の第５実施例を説明する。図４３は本発明に係る乳幼児用具の平面図、図４４は乳幼児用具から胴入れ部と座部のマット体を外した展開図、図４５は乳幼児を寝かせる場合の乳幼児用具の使用方法の説明図である。
第４実施例では、背凭れ部を分離・連結自在に形成して分離した背凭れ部とともに座部を広げる場合を例に挙げて説明したのに対し、この第５実施例では本体部の前部の一部である分離部としての胴入れ部を前方に分離しながら座部を広げるようにしたものである。なお、図３９と同一の構成部分には同一の符号が付して有る。
【００５８】
図４３、図４４において、４０１は乳幼児用具であり、全体がクッション性を有するとともに、１つの用具により乳幼児が上体を起こした姿勢で座ったり、寝たりすることができる。乳幼児用具４０１の内、４０２は本体部であり、クッション性が有り、座り姿勢の乳幼児が背中を凭せ掛ける背凭れ部４０３、クッション性が有り、座り姿勢の乳幼児が右肘と左肘を掛ける左右の肘掛け部４０４、４０５、クッション性が有り、下側に座り姿勢の乳幼児が右足と左足を片足ずつ前後に通す凹部（図３９の符号１０６、１０７参照）が左右に並べて形成された前側台部１０８とが内側開口１０を囲むようにドーナツ状に繋げられて成る。２０９はクッション性が有り、本体部４０２の内側開口１０を塞ぐように本体部４０２の下面に配設された座部である。１１、１２は前側台部１０８の上面に取着された布製でリング状のおもちゃ取り付け部である。
【００５９】
前側台部１０８の内、左側の凹部（図３９の符号１０６参照）の真ん中近くから右側の凹部（図３９の符号１０７参照）の真ん中近くまでの部分が分離部の一例である胴入れ部１２０として、連結部材の一例としての線ファスナー１２１、１２２により本体部４０２から分離・連結自在に形成されている。前側台部１０８の左端部は一体部１２３として左側の肘掛け部４０４と一体的に形成されており、クッション材を布製の内カバーの中に収納した芯体を更に布製の外カバーで包囲して成る。同様に前側台部１０８の右端部は一体部１２８として右側の肘掛け部４０５と一体的に形成されており、クッション材を布製の内カバーの中に収納した芯体を更に布製の外カバーで包囲して成る（図２０参照）。背凭れ部４０３は左右の肘掛け部４０４、４０５と一体的に形成されている。胴入れ部１２０はクッション材を布製の内カバーの中に収納した芯体を更に布製の外カバーで包囲して成る（図２０参照）。
【００６０】
線ファスナー１２１は胴入れ部１２０の左端の外周に沿って取着された第１のファスナー部材１２１Ａ、一体部１２３の右端の外周に沿って取着された第２のファスナー部材１２１Ｂ、第１、第２のファスナー部材１２１Ａ、１２１Ｂに摺動自在に嵌合されて線ファスナー１２１を開閉するスライダー１２１Ｃから成る。線ファスナー１２２は胴入れ部１２０の右端の外周に沿って取着された第１のファスナー部材１２２Ａ、一体部１２８の左端の外周に沿って取着された第２のファスナー部材１２２Ｂ、第１、第２のファスナー部材１２２Ａ、１２２Ｂに摺動自在に嵌合されて線ファスナー１２２を開閉するスライダ１２２Ｃから成る。線ファスナー１２１、１２２を開閉することで本体部４０２に対し胴入れ部１２０を分離・連結可能である。
その他の構成部分は図３９と同様に構成されている。
【００６１】
次に、上記した第５実施例の使用方法を説明する。
（１）乳幼児を座らせる場合（図４３参照）
乳幼児用具４０１に上体を起こした状態で乳幼児Ａを座らせたい場合、図４３の如く、線ファスナー１２１、１２２を閉じて胴入れ部１２０を一体部１２３、１２８に連結した状態とする。そして、スナップボタン２２を嵌着して座部２０９の前端部の中央を本体部４０２の下面中央に装着した状態とし、スナップボタン２２３、２２４を嵌着して折り曲げ箇所２２２の左右端部を背凭れ部４０３の下面後端部の左右端部に装着した状態とする。スナップボタン２３、２４は外し、凹部（図３９の符号１０６、１０７参照）の下側を開けておく。
乳幼児Ａを本体部４０２の内側開口１０に抱き入れ、お尻を座部２０９の上に載せるとともに、両足を前側台部１０８の左右の凹部に通し、スナップボタン２３、２４を閉じる。そして乳幼児Ａの上体を起こした状態で背凭れ部４０３に凭せ掛ける。おもちゃ取り付け部１１、１２におもちゃ（図示せず）を取り付ければ、乳幼児Ａが遊ぶことができる。
母親Ｄが目を離した隙に乳幼児Ａが内側開口１０から外に出ようとしても、前側台部１０８が邪魔して外に出るのを阻止する。
【００６２】
（２）乳幼児を寝かせる場合
乳幼児Ａを仰向けに寝かせたい場合、線ファスナー１２１、１２２を開けて胴入れ部１２０を一体部１２３、１２８から分離し、手前に移動しながら座部２０９を広げれば良い（図４５参照）。
【００６３】
（３）授乳したい場合
図４３の状態からスナップボタン２２乃至２４を外し、座部２０９の前部を背凭れ部４０３の下側に折り曲げるとともに（マット体２０９Ａは３つ折り状態となる）、線ファスナー１２１、１２２を開け、胴入れ部１２０を本体部４０２から分離する（図４１参照）。母親Ｄは上体を起こした座り姿勢で、胴体を本体部４０２の内側開口１０の中に入れる。そして、乳幼児Ａを背凭れ部４０３の上に載せ授乳を行う（図４２参照）。
授乳後、乳幼児用具４０１を元の状態に戻したい場合、母親Ｄは胴体を本体部４０２の内側開口１０から出し、線ファスナー１２１、１２２を閉じて胴入れ部１２０を本体部４０２に連結し、座部２０９の前端部のスナップボタン２２乃至２４を閉じて本体部４０２の下面の前端部に装着し、スナップボタン２２３、２２４を嵌着して折り曲げ箇所２２２の左右端部を背凭れ部４０３の下面後端部の左右端部に装着した状態とすれば良い。
【００６４】
この第５実施例によっても、乳幼児Ａを座らせたり、寝かせたりできるほか、胴入れ部１２０を本体部４０２から分離し、母親Ｄが上体を起こした座り姿勢で胴体を本体部４０２の内側開口１０の中に入れ、乳幼児Ａを背凭れ部４０３の上に載せて授乳を行うこともできる。
また線ファスナー２２１を開けてマット体２０９Ａの後端と背凭れ部４０３を分離し、スナップボタン２２乃至２４を外してマット体２０９Ａと本体部４０２を分離することで、マット体２０９Ａを分離できる（図４４参照）。これにより、マット体２０９Ａを単独で持ち運ぶことで外出先で乳幼児を寝かせたり、オムツ替の際の下敷き等に使用でき、マット体２０９Ａを分離して洗えるので洗濯が容易となる。
【００６５】
なお、第５実施例では、座部２０９を成すマット体２０９Ａの前端部中央と前側台部１０８の下面中央の間をスナップボタン２２により着脱自在としたが、縫着して外せないようにしても良く（図３８の波線Ｅ参照）、マット体２０９Ａの後端と背凭れ部４０３の下面の前端部との間を線ファスナー２２１により分離・連結自在としたが、縫着して分離不能に結合しても良い（図３８の破線Ｆ参照）。
【００６６】
また、前側台部１０８の一部を分離・連結可能とし、前側台部１０８の内、左端部１２３と右端部１２８は左右の肘掛け部４０４、４０５と一体の本体部４０２に残るようにしたが、前側台部１０８の左右端と左右の肘掛け部４０４、４０５の前端側の境界に線ファスナー１２１、１２２を設けるようにして、前側台部１０８の全体を分離・連結可能に形成しても良い。
【００６７】
なお、上記した各実施例及びその変形例において、連結部材として線ファスナーを例に挙げて説明したが、面ファスナー、ボタン、フック、バックル、バンドなどを用いても良く、座部の着脱部材としてスナップボタンを例に挙げて説明したが、線ファスナー、面ファスナー、フック、バックル、バンドなどを用いても良い。
また、前側台部の下側に、乳幼児の右足と左足を片足ずつ通す左右２つの凹部を設けたが、１つの横長の凹部を設け、両足を１つの横長の凹部に通すようにしても良い。
また、前側台部の下側に乳幼児が足を通す凹部を設けるようにしたが、例えば、第１実施例の場合、図４６乃至図４８の乳幼児用具１Ａに示す如く、本体部２Ａの前側台部８Ａの上側の左右に乳幼児Ａが足を通す凹部６Ａ、７Ａを設けるようにしても良く、更に、前側台部の上側に１つの横長の凹部を設け、両足を１つの横長の凹部に通すようにしても良い。他の実施例、変形例においても同様である。
【００６８】
また、上記した第１実施例、第３実施例及びその変形例では、本体部は背凭れ部、左右の肘掛け部、前側台部が内側開口を囲むようにドーナツ状に繋がった例を挙げて説明したが、前側台部の全部または一部を省略して、内側開口を囲むようにコ字状またはＣ字状に繋がった本体部としても良い。例えば、図２３の乳幼児用具の場合、図４９の乳幼児用具１０１Ａ’に示す如く、前側台部１０８Ａ’の左右の分離部１４０、１４１の間に介装された線ファスナーを省略してＣ字状に繋がった本体部１０２Ａ’としても良く、この場合、左右の分離部１４０、１４１の間の隙間が開閉部を成す。同様に第２実施例、第４実施例において、胴入れ部を省略し、開いた間口を母親が内側開口に胴体を出し入れする胴入れ口としても良い。
【産業上の利用可能性】
【００６９】
本発明は、乳幼児を寝かせたり、座らせたりするための乳幼児用クッション、乳幼児用座椅子などの乳幼児用具に適用可能である。
【符号の説明】
【００７０】
１  乳幼児用具
２  本体部
３  背凭れ部
４、５  肘掛け部
６、７  凹部
８  前側台部
９  座部
１０  内側開口
１１、１２  おもちゃ取り付け部
１９  マット体
１７、１８  線ファスナー
２０乃至２４  スナップボタン
【図１】
2019198391.tif 000003
【図２】
2019198391.tif 000004
【図３】
2019198391.tif 000005
【図４】
2019198391.tif 000006
【図５】
2019198391.tif 000007
【図６】
2019198391.tif 000008
【図７】
2019198391.tif 000009
【図８】
2019198391.tif 000010
【図９】
2019198391.tif 000011
【図１０】
2019198391.tif 000012
【図１１】
2019198391.tif 000013
【図１２】
2019198391.tif 000014
【図１３】
2019198391.tif 000015
【図１４】
2019198391.tif 000016
【図１５】
2019198391.tif 000017
【図１６】
2019198391.tif 000018
【図１７】
2019198391.tif 000019
【図１８】
2019198391.tif 000020
【図１９】
2019198391.tif 000021
【図２０】
2019198391.tif 000022
【図２１】
2019198391.tif 000023
【図２２】
2019198391.tif 000024
【図２３】
2019198391.tif 000025
【図２４】
2019198391.tif 000026
【図２５】
2019198391.tif 000027
【図２６】
2019198391.tif 000028
【図２７】
2019198391.tif 000029
【図２８】
2019198391.tif 000030
【図２９】
2019198391.tif 000031
【図３０】
2019198391.tif 000032
【図３１】
2019198391.tif 000033
【図３２】
2019198391.tif 000034
【図３３】
2019198391.tif 000035
【図３４】
2019198391.tif 000036
【図３５】
2019198391.tif 000037
【図３６】
2019198391.tif 000038
【図３７】
2019198391.tif 000039
【図３８】
2019198391.tif 000040
【図３９】
2019198391.tif 000041
【図４０】
2019198391.tif 000042
【図４１】
2019198391.tif 000043
【図４２】
2019198391.tif 000044
【図４３】
2019198391.tif 000045
【図４４】
2019198391.tif 000046
【図４５】
2019198391.tif 000047
【図４６】
2019198391.tif 000048
【図４７】
2019198391.tif 000049
【図４８】
2019198391.tif 000050
【図４９】
2019198391.tif 000051